(57)【要約】【課題】測定データの解析の際に測定時の様子を完全に再現することを可能とする。【解決手段】レーザー管理部６１は入力手段５３と接続され、入力手段５３中のレーザー光照射スイッチによってレーザー光照射を行う。測定条件記録部６７は入力手段５３中のキーボードによって患者ＩＤの入力等を行う。レーザー管理部６１の出力は、レーザーダイオード３２、トラッキング用光源３４のレーザー光の照射を行うと共に、被検眼観察像管理部６２はレーザー管理部６１からの出力を受けて、レーザー光の照射状態によってＣＣＤカメラ１９からの被検眼観察像を表示部５５に表示すると共に、被検眼観察像を記録部５６に観察画像を圧縮して保存する。【選択図】　　　　図３
2004141290.tif 000002
【特許請求の範囲】
【請求項１】
被検眼の測定を所定時間又は任意時間に行う測定手段と、該測定手段の動作を開始するための操作を行う測定動作操作手段と、被検眼の観察画像を入力し保存する観察画像処理手段とを有する眼科測定装置において、前記観察画像処理手段は前記測定動作操作手段に同期して前記観察画像の保存を開始することを特徴とする眼科測定装置。
【発明の詳細な説明】
【０００１】
【発明の属する技術分野】
本発明は、例えば被検眼の眼底部にレーザー光を照射し、眼底部からの散乱反射光を受光して解析し、血流速度及び血流量を計測する眼底血流計のような眼科測定装置に関するものである。
【０００２】
【従来の技術】
例えば眼科測定装置として、被検眼の眼底血管をトラッキングし、トラッキングした血管の絶対血流速度を測定するレーザードップラ眼底血流計が知られている。このレーザードップラ眼底血流計には、例えば眼底の血管にトラッキング用のレーザービームと血流速の測定用のレーザービームを共に照射する装置が特開平７−３１５９６号公報等により知られており、眼底の血管の血流速度と測定した血管の血管径を求め、血管内の血流量を測定できるようになっている。
【０００３】
また、この装置は測定時間を数秒間必要とするため、被検眼の状態を観察しながらの測定を行う必要がある。そこで、このような測定中のデータの状態と被検眼の状態を同時に観察する必要のある装置では、テレビカメラによる観察像を観察用モニタやパーソナルコンピュータのモニタに表示することが行われている。このように測定に時間を要する眼科測定装置として、視野計が知られているが、近年では全自動で左右眼の眼屈折値を測定するオートレフラクトメータなども、屈折値に異常がある場合等に測定中の被検眼の状態が重要な要素となる。
【０００４】
更に、瞬き検知機能を構成することにより測定中のエラーを検出する装置や、測定開始時に眼の撮影を行うことにより測定眼を明確にすることができる装置が、特開平４−２４２６２８号公報により知られている。
【０００５】
【発明が解決しようとする課題】
しかしながら上述の従来例においては、測定中の被検眼の状態を完全に再現することが難しく、近年では測定データの解析を行う際には、トラッキングの状態を保存することによって、測定中の眼の状態を判別することができるような装置が知られているが、この方法を用いても、測定データの解析の際に測定時の様子を完全に再現することはできないという課題が残されている。
【０００６】
本発明の目的は、上述の課題を解消し、測定データの解析の際に測定時の様子を完全に再現することが可能な眼科測定装置を提供することにある。
【０００７】
【課題を解決するための手段】
上記目的を達成するための本発明に係る眼科測定装置は、測定手段により被検眼の測定を所定時間又は任意時間に行い、測定動作操作手段により測定手段の動作を開始するための操作を行い、観察画像処理手段により被検眼の観察画像を入力し保存する眼科測定装置において、観察画像処理手段は前記測定動作操作手段に同期して前記観察画像の保存を開始する。
【０００８】
【発明の実施の形態】
本発明を図示の実施の形態に基づいて詳細に説明する。
図１は本発明を眼底血流計に応用した実施の形態の構成図であり、白色光を発するタングステンランプ等から成る観察用光源１から被検眼Ｅと対向する対物レンズ２に至る照明光路上には、コンデンサレンズ３、例えば黄色域の波長光のみを透過するバンドパスフィルタ付のフィールドレンズ４、被検眼Ｅの瞳孔とほぼ共役な位置に設けられたリングスリット５、被検眼Ｅの水晶体とほぼ共役な位置に設けられた遮光部材６、リレーレンズ７、光路に沿って移動自在な固視標表示用素子である透過型液晶板８、リレーレンズ９、被検眼Ｅの角膜近傍と共役に設けられた遮光部材１０、孔あきミラー１１、黄色域の波長光を透過し他の光束を殆ど反射するバンドパスミラー１２が順次に配列されている。
【０００９】
孔あきミラー１１の背後には眼観察光学系が構成されており、光路に沿って移動自在なフォーカシングレンズ１３、リレーレンズ１４、スケール板１５、光路中に挿脱自在な光路切換ミラー１６、接眼レンズ１７が順次に配列され、検者眼ｅに至っている。光路切換ミラー１６が光路中に挿入されているときの反射方向の光路上には、テレビリレーレンズ１８、ＣＣＤカメラ１９が配置されている。
【００１０】
バンドパスミラー１２の反射方向の光路上には、イメージローテータ２０、紙面に垂直な回転軸を有する両面研磨され、被検眼瞳と共役な位置に配されたガルバノメトリックミラー２１が設けられ、ガルバノメトリックミラー２１の下側反射面２１ａの反射方向にはフォーカスレンズ２２が配置され、上側反射面２１ｂの反射方向にはレンズ２３、光路に沿って移動自在なフォーカスユニット２４が配置されている。なお、レンズ２３の前側焦点面は被検眼Ｅの瞳孔と共役関係にあり、ガルバノメトリックミラー２１はこの焦点面に配置されている。
【００１１】
フォーカスユニット２４においては、レンズ２３と同一光路上に、ダイクロイックミラー２５、集光レンズ２６が順次に配列され、ダイクロイックミラー２５の反射方向の光路上にはマスク２７、ミラー２８が配置されており、このフォーカスユニット２４は一体的に矢印で示す方向に移動ができるようになっている。
【００１２】
レンズ２６の入射方向の光路上には、固定ミラー２９、光路から退避可能な光路切換ミラー３０が平行に配置され、光路切換ミラー３０の入射方向の光路上には、コリメータレンズ３１、コヒーレントな例えば赤色光を発する測定用のレーザーダイオード３２が配列されている。更に、ミラー２８の入射方向の光路上には、シリンドリカルレンズ等から成るビームエクスパンダ３３、高輝度の他の光源と異なる例えば緑色光を発するトラッキング用光源３４が配列されている。
【００１３】
また、ガルバノメトリックミラー２１の後方には、光路長補償半月板３５、光路中に遮光部を有する黒点板３６、凹面ミラー３７が配され、ガルバノメトリックミラー２１の下側反射面２１ａで反射されず通過する光束を、ガルバノメトリックミラー２１の上側反射面２１ｂに導くリレー光学系が構成されている。
【００１４】
ガルバノメトリックミラー２１の下側反射面２１ａの反射方向の光路上には、光路に沿って移動自在なフォーカシングレンズ２２、ダイクロイックミラー３８、フィールドレンズ３９、拡大レンズ４０、イメージインテンシファイヤ付の一次元ＣＣＤ４１が順次に配列され、血管検出系が構成されている。
【００１５】
また、ダイクロイックミラー３８の反射方向の光路上には、結像レンズ４２、共焦点絞り４３、被検眼Ｅの瞳孔とほぼ共役に設けられたミラー対４４ａ、４４ｂが配置され、このミラー対４４ａ、４４ｂの反射方向にはそれぞれフォトマルチプライヤ４５ａ、４５ｂが配置され、測定用受光光学系が構成されている。
【００１６】
なお、図示の都合上、全ての光路を同一平面上に示したが、ミラー対４４ａ、４４ｂの反射光路、トラッキング用光源３４の出射方向の測定光路、レーザーダイオード３２からマスク２７に至る光路はそれぞれ紙面に直交している。
【００１７】
更に、装置全体を制御するためのシステム制御部５１が設けられ、システム制御部５１には、ＣＣＤカメラ１９、フォトマルチプライヤ４５ａ、４５ｂ、血管位置検出回路５２を介した一次元ＣＣＤ４１、検者が操作する入力手段５３の出力がそれぞれ接続されており、システム制御部５１の出力はガルバノメトリックミラー２１を制御する制御回路５４、光路切換ミラー３０、表示部５５、記録部５６にそれぞれ接続されている。また、血管位置検出回路５２の出力は制御回路５４に接続されている。
【００１８】
測定に当り、観察用光源１から発した白色光はコンデンサレンズ３を通り、バンドパスフィルタ付のフィールドレンズ４により黄色の波長光のみが透過され、リングスリット５、遮光部材６、リレーレンズ７を通り、透過型液晶板８を背後から照明し、リレーレンズ９、遮光部材１０を通って孔あきミラー１１で反射され、黄色域の波長光のみがバンドパスミラー１２を透過し、対物レンズ２を通り、被検眼Ｅの瞳孔上で眼照明光光束像として一旦結像した後に、眼底Ｅａをほぼ一様に照明する。このとき、透過型液晶板８には固視標が表示されており、照明光により被検眼Ｅの眼底Ｅａに投影され、視標像として被検眼Ｅに呈示される。なお、リングスリット５、遮光部材６、１０は、被検眼Ｅの前眼部において眼照明光と眼観察光を分離するためのものであり、必要な遮光領域を形成するものであれば、その形状は問題とならない。
【００１９】
眼底Ｅａからの反射光は同じ光路を戻り、瞳孔上から眼観察光光束として取り出され、孔あきミラー１１の中心の開口部、フォーカシングレンズ１３、リレーレンズ１４を通りスケール板１５で眼底像Ｅａ’　として結像した後に、光路切換ミラー１６に至る。ここで、光路切換ミラー１６が光路から退避しているときは、検者眼ｅにより接眼レンズ１７を介して眼底像Ｅａ’　が観察可能となる。
【００２０】
一方、光路切換ミラー１６が光路に挿入されているときは、スケール板１５上に結像された眼底像Ｅａ’　が、テレビリレーレンズ１８によりＣＣＤカメラ１９上に再結像され、システム制御部５１を介して表示部５５に映出される。表示部５５はＣＣＤカメラ１９によって撮像される検者眼ｅの観察像と共に、血管径及び血流速度等の計算結果、更には測定条件などの全ての情報を出力するＣＲＴディスプレイであり、このとき表示部５５には、前回の測定結果、測定条件と共に、眼底像Ｅａ’が例えば図２に示すように表示される。
【００２１】
検者はこの眼底像Ｅａ’　を接眼レンズ１７又は表示部５５により観察しながら、装置のアライメントを行う。このとき、適切な目的に応じて観察方式を採用することが好適であり、接眼レンズ１７の検者眼ｅによる観察の場合は、ＣＲＴディスプレイよりも高解像かつ高感度な眼底像Ｅａ’が観察により得られるので、眼底Ｅａの微細な変化を読み取って診断する場合に適している。
【００２２】
一方、表示部５５による観察の場合は、視野を制限しないので検者の疲労を軽減することができ、更にＣＣＤカメラ１９の出力をパーソナルコンピュータのハードディスク等の記録媒体に記録することができるので、臨床上極めて有効である。
【００２３】
従来では、ＣＣＤカメラ１９の出力を、外部のビデオテープレコーダやビデオプリンタ等に接続することにより、眼底像Ｅａ’　上の測定部位の変化を逐次に電子的に記録する方法が採られていたが、本実施の形態においては、この観察動画像をパーソナルコンピュータ内のハードディスク等の記録媒体に測定データと共に記録する。
【００２４】
レーザーダイオード３２を発した測定光はコリメータレンズ３１によりコリメートされ、光路切換ミラー３０が光路に挿入されている場合には、光路切換ミラー３０、固定ミラー２９でそれぞれ反射され、集光レンズ２６の下方を通過し、光路切換ミラー３０が光路から退避している場合には、直接集光レンズ２６の上方を通過し、ダイクロイックミラー２５を透過する。
【００２５】
一方、トラッキング用光源３４から発したトラッキング光は、ビームエクスパンダ３３により縦横異なる倍率でビーム径が拡大され、ミラー２８で反射された後に、整形用マスク２７で所望の形状に整形され、ダイクロイックミラー２５で反射されて、上述の測定光と重畳される。このとき、測定光は集光レンズ２６により、マスク２７の開口部中心と共役な位置にスポット状に結像されている。
【００２６】
更に、測定光とトラッキング光はレンズ２３を通り、ガルバノメトリックミラー２１の上側反射面２１ｂで一旦反射され、黒点板３６を通った後に、ミラー３７で反射され再び黒点板３６、そして光路長補正用半月板３５を通りガルバノメトリックミラー２１の方に戻される。
【００２７】
そして、ミラー３７、黒点板３６、光路長補正用半月板３５は、光軸上に同心に配置されかつ共働して、ガルバノメトリックミラー２１の上側反射面２１ｂと下側反射面２１ａとを−１倍で結像するリレー系の機能が与えられている。イメージローテータ２０を経て、バンドパスミラー１２により対物レンズ２の方向に偏向された両光束は、対物レンズ２を介して被検眼Ｅの眼底Ｅａに照射される。なお、光路長補正用半月板３５はガルバノメトリックミラー２１の上側反射面２１ｂ、下側反射面２１ａの位置がそのミラー厚によって生ずる図面の上下方向にずれを持つことを補正するためのものであり、イメージローテータ２０に向かう光路中にのみ作用する。
【００２８】
このように、レーザーダイオード３２からの測定光とトラッキング光源３４からのトラッキング光は、ガルバノメトリックミラー２１の上側反射面２１ｂ内で反射されて、再び戻されるように対物レンズ２の光軸から偏心した状態で、ガルバノメトリックミラー２１への入射が行われる。
【００２９】
眼底Ｅａでの散乱反射光は再び対物レンズ２で集光され、バンドパスミラー１２で反射されてイメージローテータ２０を通り、ガルバノメトリックミラー２１の下側反射面２１ａで反射され、フォーカシングレンズ２２を通り、ダイクロイックミラー３８において測定光とトラッキング光とが分離される。
【００３０】
トラッキング光はダイクロイックミラー３８を透過し、フィールドレンズ３９、結像レンズ４０により一次元ＣＣＤ４１上で眼観察光学系による眼底像Ｅａ’　よりも拡大された血管像として結像する。そして、一次元ＣＣＤ４１で撮像された血管像に基づいて、血管位置検出回路５２において血管像の移動量を表すデータが作成され、制御回路５４に出力される。制御回路５４はこの移動量を補償するようにガルバノメトリックミラー２１を制御する。また、システム制御部５１では、一次元ＣＣＤ４１で撮像された血管像を基に血管径を算出する。
【００３１】
一方、測定光はダイクロイックミラー３８により反射され、共焦点絞り４３の開口部を経てミラー対４４ａ、４４ｂで反射され、それぞれフォトマルチプライヤ４５ａ、４５ｂに受光される。フォトマルチプライヤ４５ａ、４５ｂの出力はそれぞれシステム制御部５１に出力され、この受光信号はシステム制御部５１で受光信号を周波数解析して、眼底Ｅａの血流速度が求められる。
【００３２】
このようにシステム制御部５１では、一次元ＣＣＤ４１で撮像された血管像から血管径を算出し、フォトマルチプライヤ４５ａ、４５ｂの出力から血流速度を算出可能となっており、この算出された血管径及び血流速度は、計算後に表示部５５に出力される。表示部５５には前述したように、ＣＣＤカメラ１９によって撮像される被検眼Ｅの観察動画像と共に、血管径及び血流速度等の計算結果、更には測定条件などの全ての情報が出力される。
【００３３】
図３はシステム制御部５１の構成図であり、システム制御部５１には、測定光となるレーザーダイオード３２及びトラッキング光となるトラッキング用光源３４の照射を管理するレーザー管理部６１と、このレーザー管理部６１、ＣＣＤカメラ１９の出力を受けて表示部５５、記録部５６に対する被検眼観察像の制御を行う被検眼観察像管理部６２と、測定データや測定条件などの表示管理を行うデータ表示管理部６３とが設けられている。その他にも、一次元ＣＣＤ４１により撮像された血管像を基に血管径を算出する血管径算出部６４、フォトマルチプライヤ４５ａ、４５ｂの受光信号を周波数解析して眼底Ｅａの血流速度を算出する血流速度算出部６５、フォトマルチプライヤ４５ａ、４５ｂの受光信号を周波数変換するＦＦＴ算出部６６、入力手段５３によって入力された患者情報及び測定時間などの測定環境を記録する測定条件記録部６７が設けられている。そして、血管径算出部６４、血流速度算出部６５、ＦＦＴ算出部６６、測定条件記録部６７の出力は、データ表示管理部６３に接続されている。
【００３４】
レーザー管理部６１は入力手段５３と接続され、図示を省略しているが、入力手段５３中のレーザー光照射スイッチによってレーザー光照射を行うことができるようになっている。また、測定条件記録部６７は入力手段５３と接続され、入力手段５３中のキーボードによって患者ＩＤの入力等を行うことができる。被検眼観察像管理部６２はレーザー管理部６１からの出力を受けて、レーザー光の照射状態によってＣＣＤカメラ１９からの被検眼観察像を表示部５５に表示すると共に、被検眼観察像を記録部５６に観察画像を圧縮して保存する。
【００３５】
また、血管径算出部６４、血流速度算出部６５、ＦＦＴ算出部６６、測定条件記録部６７の出力は、データ表示管理部６３を介して表示部５５に血管径、血流速度、ＦＦＴ、測定条件として表示される。ここで、測定データと測定条件記録部６７及び被検眼観察像の記録部５６を、同一の記録媒体に保存することで、より扱い易い構成とすることができることは明らかである。
【００３６】
先ず、被検者の入力を行うため、検者は入力手段５３中のキーボードによって患者ＩＤの入力を行う。このとき、既に患者ＩＤが測定条件記録部６７に登録されていれば、名前・登録日・性別・年齢・コメントは、患者ＩＤ入力時点で表示部５５に直前に測定された測定データと共に図２に示す被検者データ欄に表示される。このとき、患者ＩＤが新規の入力であれば、入力手段５３中のキーボードから、名前・登録日・性別・年齢・コメントを入力する。
【００３７】
図２中のＢ１及びＢ２は、図中右上の眼底像Ｅａ’の表示制御を行う押しボタンである。それぞれ、押しボタンＢ１は測定時の観察画像の再生を行い、押しボタンＢ２は再生を停止する。また、図中のＢａｒ１は血流量のグラフ内に表示され、現在再生している観察画像に対する測定データの位置を示している。
【００３８】
このように、本実施の形態においては、患者ＩＤ・名前・登録日・性別・年齢・コメント・測定データ（血管径・血流速度・血流量）と共に、測定時の観察画像を表示することが可能となっている。従って、測定データを確認して解析する際に、被検眼Ｅの状態を再確認することができるので、測定時における被検眼Ｅの状態を保存していない場合に比べて、瞬きや眼球運動、眼の状態などを確実に把握することが可能となる。また、観察画像をビデオテープ等に録画する場合に比べて、必要な部分だけを素早く取り出すことができるので、解析の時間を短縮することが可能となる。
【００３９】
本実施の形態では、眼底像Ｅａ’の表示制御を行うボタンを再生と停止の２種類しか設けていないが、一時停止や早送り、巻き戻しといったビデオ等で通常用いられる押しボタンを構成することは容易である。
【００４０】
また、図２に示すように観察画像の再生に合わせて、現在再生している観察画像に対する測定データの位置をＢａｒ１で表すように構成しているが、このＢａｒ１をマウス等で移動可能とし、Ｂａｒ１の移動に合わせて観察画像の表示が変わるようにすることも可能である。
【００４１】
被検者データの入力が終了すると、先ず被検眼Ｅの眼底Ｅａにアライメントを行い、次に測定対象とする血管を決めて、入力手段５３中のレーザー光照射スイッチを押す。レーザー管理部６１は入力手段５３中のレーザー光照射スイッチからの入力を受けると、レーザーダイオード３２及びトラッキング用光源３４のレーザー光の照射を行い、データ表示管理部６３には、フォトマルチプライヤ４５ａ、４５ｂの受光信号を周波数変換するＦＦＴ算出部６６からＦＦＴ信号が入力される。このＦＦＴ信号の入力により、データ表示管理部６３は測定結果の表示をＦＦＴの表示に切換え、表示部５５には図４に示すように表示される。
【００４２】
最後に、測定対象とする血管にレーザー光を合わせ、入力手段５３中の測定開始スイッチを押す。血管径算出部６４は測定開始スイッチからの入力を受けると、血管径の演算を開始する。同様に、血流速度算出部６５は入力手段５３中の測定開始スイッチからの入力を受けると、血流速度の演算を開始する。しかしながらデータ表示管理部６３には、フォトマルチプライヤ４５ａ、４５ｂの受光信号を周波数変換するＦＦＴ算出部６６からＦＦＴ信号が入力されているため、データ表示管理部６３はＦＦＴの表示を行い、表示部５５には図４に示すように表示される。
【００４３】
また、レーザー管理部６１は入力手段５３中の測定開始スイッチからの入力を受けると、被検眼観察像管理部６２に測定開始信号Ｓ１を出力する。被検眼観察像管理部６２は、測定開始信号Ｓ１を受けると、ＣＣＤカメラ１９からの被検眼観察像の圧縮処理を開始すると共に、被検眼観察像の記録部５６への保存を開始する。本実施の形態においては、測定時間を２秒と設定しているので、入力手段５３中の測定開始スイッチを押した後の２秒間、血管径算出部６４では一次元ＣＣＤ４１により撮像された血管像を基に血管径の算出を行い、血流速度算出部６５ではフォトマルチプライヤ４５ａ、４５ｂの受光信号から血流速度の演算が行われる。
【００４４】
このように、本実施の形態においては、レーザー光照射を開始して、測定が終了するまでの間は、測定状態を表すＦＦＴと、被検眼観察像を表示部５５内で同時に観察することが可能となる。
【００４５】
次に、レーザー管理部６１は入力手段５３中の測定開始スイッチからの入力を受けた後の２秒間の測定が終了すると、レーザーダイオード３２及びトラッキング用光源３４のレーザー光照射の中止を行うと共に、被検眼観察像管理部６２に測定終了信号Ｓ２を出力する。被検眼観察像管理部６２は測定終了信号Ｓ２を受けると、ＣＣＤカメラ１９からの被検眼観察像の圧縮処理を停止し、被検眼観察像の記録部５６への保存を中止する。
【００４６】
データ表示管理部６３は血管径算出部６４及び血流速度算出部６５から、血管径及び血流速度のデータを受け取り血流速度の変化を示すグラフ図や、平均血流速度及び血管径と平均血流速度から血流量を算出し表示する。このとき、データ表示管理部６３はＦＦＴの表示を測定結果の表示に切換え、表示部５５には図２に示すように表示される。また、フォトマルチプライヤ４５ａ、４５ｂの受光信号を周波数変換するＦＦＴ算出部６６からＦＦＴ信号が出力されなくなる。
【００４７】
このように、本実施の形態においては、測定が終了すると測定状態を表すＦＦＴは非表示となり、被検眼観察像は測定時の観察状態を再確認可能な状態で表示され、血流速度の変化を示すグラフ図や平均血流速度、血流量が表示部５５内で確認することが可能となっている。図５は以上の測定動作に関する処理及び手順のフローチャート図である。
【００４８】
このように、本実施の形態では測定の開始によって被検眼観察像の保存を開始し、更に測定が終了したときに、被検眼観察像の保存を停止するようにしている。測定中の被検眼の状態を再確認することが可能であるため、測定が確実に行われているかどうかを見極めることができ、更には測定データの状態をＦＦＴ、表示部５５で確かめることができる。
【００４９】
本実施の形態においては、測定の開始によって被検眼観察像の保存を開始し、更に測定が終了した時に、被検眼観察像の保存を停止するようにしているが、被検眼観察像の保存の開始をレーザー光照射時に行う方法も考えられる。この場合は、レーザー光照射が終了した時点で、被検眼観察像の保存を停止するような構成にすることが好ましい。図６はこのような構成とした場合における測定動作に関する処理及び手順のフローチャート図である。
【００５０】
また、被検眼観察像管理部６２において、被検眼観察像の圧縮処理をするようにしているが、これは本装置が測定を行うことを主目的とする眼科測定装置であるため、解像度の良い観察画像を必要としないためである。更に、被検眼観察像の記録部５６の記録容量を節約し、より多くの測定データを保存できるようにしているためでもあるので、将来的により高画質の観察画像が必要になり、記録容量が大容量化してくることによって、圧縮しない方法も考えられる。
【００５１】
このように本装置においては、圧縮するか圧縮しないかに拘らず、測定時の観察動画像を保存しているので、例えば眼底のどの血管を測定したかを明確化するために、測定位置情報として代表的な静止画像を保存した動画像の中から切り出すこともできる。ここで、代表的な静止画像をピックアップすることに関しては、動画像の保存を測定開始時に行うかレーザー光照射時に行うかということとは無関係に、何れの方法でも可能であることは云うまでもない。
【００５２】
更に、処理速度が大きい装置と大容量の記録媒体を用いることによって、被検眼観察像管理部６２では、常時に被検眼観察像を被検眼観察像の記録部５６に一時的に記録し、測定が終了した時点で、測定の終了から所定時間前までの被検眼観察像を、被検眼観察像の記録部５６に保存する方法も考えられる。
【００５３】
なお、本実施の形態として眼底血流計について説明したが、その他の眼科測定装置として、視野計やオートレフラクトメータのような眼屈折測定装置や眼圧計などにおいても、同様に適用することができる。
【００５４】
本発明の実施の形態をまとめて次に列挙する。
【００５５】
［実施の形態１］　被検眼の測定を所定時間又は任意時間に行う測定手段と、該測定手段の動作を開始するための操作を行う測定動作操作手段と、被検眼の観察画像を入力し保存する観察画像処理手段とを有する眼科測定装置において、前記観察画像処理手段は前記測定動作操作手段に同期して前記観察画像の保存を開始することを特徴とする眼科測定装置。
【００５６】
［実施の形態２］　前記観察画像処理手段は、前記測定手段の測定終了時に前記観察画像の保存処理を終了することを特徴とする実施の形態１に記載の眼科測定装置。
【００５７】
［実施の形態３］　前記観察画像処理手段は、前記眼の観察画像をＭＰＥＧ圧縮して保存することを特徴とする実施の形態２に記載の眼科測定装置。
【００５８】
［実施の形態４］　前記測定手段の動作を開始するための操作は、レーザー光照射であることを特徴とする実施の形態２又は３に記載の眼科測定装置。
【００５９】
［実施の形態５］　前記測定手段の動作を開始するための操作は、トラッキングの開始であることを特徴とする実施の形態２又は３に記載の眼科測定装置。
【００６０】
［実施の形態６］　前記測定手段の動作を開始するための操作は、実測定の開始であることを特徴とする実施の形態２又は３に記載の眼科測定装置。
【００６１】
［実施の形態７］　前記観察画像処理手段により保存された前記観察画像のうち、少なくとも１つの観察静止画像が切り出し可能な静止画像作成手段を有することを特徴とする実施の形態３〜６の何れか１つの実施の形態に記載の眼科測定装置。
【００６２】
［実施の形態８］　前記観察画像処理手段により保存された前記観察画像と、前記測定手段によって測定された測定結果とを同一画面上に表示し、前記測定結果の時間軸に応じて前記観察画像の表示を切換え可能とする測定状態表示手段とを有することを特徴とする実施の形態３〜６の何れか１つの実施の形態に記載の眼科測定装置。
【００６３】
【発明の効果】
以上説明したように本発明に係る眼科測定装置は、測定動作操作手段に同期して観察画像を保存するようになっているので、観察画像を保存する手間が省けるため、操作上極めて有効になる。
【００６４】
また、測定データの解析の際には、測定状態を再現することができるので、測定が確実に行われているかどうかを簡単に見極めるためにも極めて有効である。更に、測定データを患者ＩＤによって選択し、測定データを検索するだけで、測定データと同一の画面内で、被検者の測定状態を確認することができるので、データの閲覧が極めて容易である。
【００６５】
更に、測定データを短時間で評価することができるので、他人との比較、標準値の算出などを迅速に行うことができる上、測定データと観察画像を同一媒体に保存しているので、バックアップや携帯性にも優れている。
【００６６】
この他にも、測定状態を記録した観察動画像の中から、代表的な静止画像を切り出すことができ、測定部位を管理する上で有効となる。
【図面の簡単な説明】
【図１】レーザードップラ型眼底血流計に応用した実施の形態の構成図である。
【図２】表示部の説明図である。
【図３】ブロック回路構成図である。
【図４】測定中の表示部の説明図である。
【図５】本実施の形態の測定動作中の処理及び動作のフローチャート図である。
【図６】他の実施の形態の測定動作中の処理及び動作のフローチャート図である。
【符号の説明】
１　観察用光源
２　対物レンズ
１９　ＣＣＤカメラ
２１　ガルバノメトリックミラー
３２　レーザーダイオード
３４　トラッキング光源
４１　一次元ＣＣＤ
４４ａ、４４ｂ　フォトマルチプライヤ
５１　システム制御部
５３　入力手段
５５　表示部
５６　記録部
【図１】
2004141290.tif 000003
【図２】
2004141290.tif 000004
【図３】
2004141290.tif 000005
【図４】
2004141290.tif 000006
【図５】
2004141290.tif 000007
【図６】
2004141290.tif 000008